(57)【要約】【課題】  女性が着物を着る時、多くのアイテムを用いたり、手間をかけたりせずに、一枚の下着のみで、利用者がそれぞれの体型にあわせて必要な補正が簡単にできる、和装用オールインワン補正下着を提供する。【解決手段】    胸部分（１）は胸の膨らみを押さえ、肩から胸のラインをなだらかにしつつ、胸上部および腰周りに補正ポケット（２）（３）を設け、利用者がそれぞれの体型にあわせて補正ポケットに補正パッドやタオルなど（４）（５）を入れることで、一枚の下着で着物に合った体型に補正する、和装用オールインワン補正下着を特徴とする。【選択図】図１
2012162834.tif 000002
【特許請求の範囲】
【請求項１】
一枚の下着で、胸の膨らみを押さえ、肩から胸のラインをなだらかにしつつ、利用者がそれぞれの体型にあわせて必要な補正がすべてできる手段を備えたことを特徴とする、和装用オールインワン補正下着。
【発明の詳細な説明】
【技術分野】
【０００１】
本発明は、女性が着物を着る際、着姿を美しくし、また、着物や帯のヨレや、着くずれを防ぐために行う補正を、一枚の下着で完結する、和装用オールインワン補正下着に関するものである。
【背景技術】
【０００２】
従来、女性は着物を着る時、「サラシ」や「和装ブラジャー」と呼ばれる下着で胸の膨らみを押さえ、上半身のラインをなだらかにする補正を行っていた。
また、鎖骨周辺が痩せていて、襟元にヨレが出来たり、貧相な印象になってしまう時は、和装ブラジャーに付随しているパッドや従来の補正下着、または、ガーゼ、脱脂綿などを用いて、鎖骨周りに厚みを持たせて補正していた。
さらに、腰回りには、タオルを巻いたりして、腰のくびれで着物や帯がヨレたりしないように補正していた。
そうしたほうが、着物の着姿が美しく、また、着くずれしにくいためである。
【先行技術文献】
【非特許文献】
【０００３】
【非特許文献１】http://www.azumasugata.co.jp/item/pdf/catalogp12.pdf  あずま株式会社  ホームページ内製品情報
【非特許文献２】http://item.rakuten.co.jp/kimonoyasan/321-0033/  株式会社 丸保  きものやさん  ホームページ内商品情報
【非特許文献３】http://www.tsuyukusa.co.jp/fs/tsuyukusa/31-1409/  株式会社つゆくさ  ホームページ内製品情報
【発明の概要】
【発明が解決しようとする課題】
【０００４】
上記のように、着物を着る時の体型補正には、多くのアイテムが必要で、手間がかかっていた。
現状、従来の和装ブラジャーは、胸の膨らみを押さえ、一部胸上部に補正パッドが入るなどして厚みを持たせる補正ができるが、腰周りは別途補正が必要であった。
また、補正のため腰にタオルを巻くときは、腰紐などでタオルを止めるが、ずれたりヨレたりしてしまうことがある。
また、胸上部と腰周りを補正する従来の和装用補正下着は、厚みを持たせることを主の目的としているため、和装ブラジャーのように胸の膨らみを押さえるつくりにはなっていない。加えて、それらは体に巻きつけて紐で縛るタイプのものが多く、余計な結び目が着物の中でゴロゴロしてしまう。また、それらは、それぞれの使用者の身長や体型に合わせて補正パッドなどの位置や厚みを調整できるようには作られていないため、それぞれの使用者にぴったり合った補正を実現するのは困難であった。
さらに、着物を着てしまえば見えない部分とは言え、体にタオルや脱脂綿、ガーゼを貼り付けている様は、着物を着る女性の美しさを損ねてしまう。
本発明は、このような点を解決するためになされたものである。
【課題を解決するための手段】
【０００５】
その解決手段とは、和装用オールインワン補正下着は、伸縮性のある生地を用いて、体全体にフィットさせ、胸部分（１）では胸の膨らみを押さえる形状を持ち、また、利用者のそれぞれの体型にあわせて必要な補正ができるよう、胸上部に補正パッドなど（４）の出し入れとその位置調整が可能な補正ポケット（２）を設け、さらに、腰周りには、胴を全面的に覆う補正ポケット（３）を設け、補正パッドやタオルなど（５）が出し入れとその位置調整を簡単にできるようにしたことである。
【発明の効果】
【０００６】
本発明の和装用オールインワン補正下着は、胸の膨らみを押さえ、また、痩せた部分に厚みを持たせたり、腰のくびれが出ないようにするという、着物を着るための補正がこれ一枚ででき、かつ、着物の着くずれを防ぐことができるので、これまで多くのアイテムと手間を要した和装のための補正が、すっきりと簡単にできるようになる。なお、下着全体が体にフィットしているため、補正ポケットの中に入れた補正パッドやタオルなどが、補正ポケットの生地で全面的に押さえられるので、それらの位置調整が自分の身長、体型に簡単にぴったりと合わせられ、さらに、ずれにくく、ヨレにくい。
【図面の簡単な説明】
【０００７】
【図１】和装用オールインワン補正下着の斜視図に補正ポケットの中の補正パッドなどを記した図である。
【図２】和装用オールインワン補正下着の背面図に補正ポケットの中の補正パッドなどを記した図である。
【図３】和装用オールインワン補正下着の斜視図である。
【図４】和装用オールインワン補正下着にスリップのスカート部分を取りつけたものの斜視図である。
【発明を実施するための形態】
【０００８】
以下、本発明を実施するための形態について説明する。
和装用オールイン補正下着は、伸縮性のある生地を用いて、着用時、肌によくフィットするようにする。
胸部分（１）は、胸の膨らみを押さえ、かつ、肩から胸のラインを全体的になだらかにする形状にする。
前身ごろの肩から胸のトップにかけては、任意で補正パッドなど（４）を襟側もしくは脇側、または両側から出し入れできる補正ポケット（２）を設ける。
腰周りは、胴を一周する補正ポケット（３）を設け、任意で補正パッドやタオルなど（５）を出し入れできるようにする。ポケットの口は補正パッドやタオルなど（５）の出し入れや、位置の調整がしやすいよう、前面、背面に広く設ける。
これを使用するときは、和装に必要な補正が一枚でできるこの下着で、自分の体型に合わせて各部位を調整し、着物の下に着用すればよい。
なお、図１は半袖状で記載されているが、長袖またはノースリーブなど、どんな袖の長さであっても可能である。
【実施例】
【０００９】
以下、実施例１について説明する。
補正パッド（４）（５）を入れる補正ポケット（２）（３）の別の形態として、袋状のポケットではなく、筒状、もしくは布と布を重ねて補正パッドを間に挟むことで固定する和装用オールインワン補正下着。こちらは、他の実施例と同じ効用、効果を得ることができる。
【００１０】
以下、実施例２について説明する。
Ｔシャツのように頭からかぶって着る形態の他、ファスナーで左右に開いて着脱できる和装用オールインワン補正下着。こちらも、他の実施例と同じ効用、効果を得ることができる。
【００１１】
以下、実施例３について説明する。
和装オールインワン補正下着に、図４のようにスリップのスカート部分を取りつけた、和装オールインワン補正下着。こちらも、他の実施例と同じ効用、効果を得ることができる。また、肌襦袢の代わりにもできる。
【符号の説明】
【００１２】
１  胸部分
２  補正ポケット
３  補正ポケット
４  補正パッドなど
５  補正パッドなど
【図１】
2012162834.tif 000003
【図２】
2012162834.tif 000004
【図３】
2012162834.tif 000005
【図４】
2012162834.tif 000006